(57)【要約】【課題】使用者がドアロックできたことを認識でき、ドアから手を離すタイミングが確実に分かる使い易い遠心分離機を提供すること。【解決手段】駆動部６と、該駆動部６によって回転駆動されるロータ５と、該ロータ５を収容する回転室７と、該回転室７を開閉するドア３と、該ドア３の開閉をロックするドアロック機構９と、前記駆動部６と前記ドアロック機構９を制御するための制御部８と、運転条件の設定や運転状態を表示するための操作パネル部１と、運転終了を通知するための通知音発生手段を有する遠心分離機において、前記ドア３を閉めたとき、前記ドアロック機構９が動作してドア３のロックが完了したことを前記通知音発生手段で使用者に通知する機能を設ける。【選択図】図１
2008259981.tif 000002
【特許請求の範囲】
【請求項１】
駆動部と、該駆動部によって回転駆動されるロータと、該ロータを収容する回転室と、該回転室を開閉するドアと、該ドアの開閉をロックするドアロック機構と、前記駆動部と前記ドアロック機構を制御するための制御部と、運転条件の設定や運転状態を表示するための操作パネル部と、運転終了を通知するための通知音発生手段を有する遠心分離機において、
前記ドアを閉めたとき、前記ドアロック機構が動作してドアのロックが完了したことを前記通知音発生手段で使用者に通知する機能を設けたことを特徴とする遠心分離機。
【請求項２】
駆動部と、該駆動部によって回転駆動されるロータと、該ロータを収容する回転室と、該回転室を開閉するドアと、該ドアの開閉をロックするドアロック機構と、前記駆動部と前記ドアロック機構を制御するための制御部と、運転条件の設定や運転状態を表示するための操作パネル部を有する遠心分離機において、
前記操作パネル部に、前記ドアを閉めたとき、前記ドアロック機構が動作してドアのロックが完了したことを操作パネル部に表示するとともに使用者に通知する機能を設けたことを特徴とする遠心分離機。
【発明の詳細な説明】
【技術分野】
【０００１】
本発明は、試料が挿入されたロータを回転させることによって試料を遠心分離するための遠心分離機に関するものである。
【背景技術】
【０００２】
この種の遠心分離機は、分離するサンプル（試料）に合わせて使用者が回転速度、運転時間（分離時間）、温度（保持温度）、加速勾配、減速勾配等の運転条件を操作パネル部から設定する。そして、試料が挿入されたロータを回転室にセットし、ドアを閉めて操作パネル部のスタートスイッチを押すことによってロータが回転駆動される。ロータが操作パネル部にて設定された回転速度まで加速されて整定し、設定された運転時間が経過するとロータの回転が自動的に減速されて停止する。
【０００３】
ところで、遠心分離機を運転する際、回転室にセットされたロータは高速で回転するため、安全のために遠心分離機の運転中はドアが開かないようにドアをロックするロック機構が設けられている。
【０００４】
ここで、ドアロック機構の動作を図１に基づいて説明する。
【０００５】
図１は遠心分離機の断面図であり、図示の遠心分離機は、ドア３が開いた状態で該ドア３がドアスプリング１４の付勢力によって開く方式を採用しており、ドア３を閉める場合は、手でドア３を下方に押すことによって該ドア３が閉じた状態となり、ドアフックセンサ１１がドアフック４を検出すると、ドアロック機構９が動作してドアロック状態となる。
【特許文献１】特開２００２−１１３３９０号公報
【発明の開示】
【発明が解決しようとする課題】
【０００６】
しかしながら、従来は上述のように遠心分離機のドア３を閉める際、手でドア３を閉めてドアロック機構９のモータが動作し、ドアロックが完了してモータが停止するまでドア３を手で押さえておく必要があり、ドアロック機構９のモータが動作中に手を離すとドア３が開いてしまってドアロックができない場合がある。
【０００７】
又、遠心分離機の使用者は、ドアロック機構９のモータの停止音を聞いてドア３から手を離す必要がある。
【０００８】
しかし、モータの停止音を聞き分けるのは困難であり、いつドア３から手を離していいか判断に迷うという問題があった。
【０００９】
本発明は上記問題に鑑みてなされたもので、その目的とする処は、使用者がドアロックできたことを認識でき、ドアから手を離すタイミングが確実に分かる使い易い遠心分離機を提供することにある。
【課題を解決するための手段】
【００１０】
上記目的を達成するため、請求項１記載の発明は、駆動部と、該駆動部によって回転駆動されるロータと、該ロータを収容する回転室と、該回転室を開閉するドアと、該ドアの開閉をロックするドアロック機構と、前記駆動部と前記ドアロック機構を制御するための制御部と、運転条件の設定や運転状態を表示するための操作パネル部と、運転終了を通知するための通知音発生手段を有する遠心分離機において、前記ドアを閉めたとき、前記ドアロック機構が動作してドアのロックが完了したことを前記通知音発生手段で使用者に通知する機能を設けたことを特徴とする。
【００１１】
請求項２記載の発明は、駆動部と、該駆動部によって回転駆動されるロータと、該ロータを収容する回転室と、該回転室を開閉するドアと、該ドアの開閉をロックするドアロック機構と、前記駆動部と前記ドアロック機構を制御するための制御部と、運転条件の設定や運転状態を表示するための操作パネル部を有する遠心分離機において、前記操作パネル部に、前記ドアを閉めたとき、前記ドアロック機構が動作してドアのロックが完了したことを操作パネル部に表示するとともに使用者に通知する機能を設けたことを特徴とする。
【発明の効果】
【００１２】
本発明によれば、遠心分離機のドアを手で閉じる際、ドアロックが完了したことをブザー音や操作パネル部に表示することによって、使用者はドアロックできたことを認識でき、ドアから手を離すタイミングが確実に分かるため、使い易い遠心分離機を提供することができる。
【発明を実施するための最良の形態】
【００１３】
以下に本発明の実施の形態を添付図面に基づいて説明する。
【００１４】
先ず、本発明に係る遠心分離機の基本構成を図１及び図２に基づいて説明する。
【００１５】
図１は本発明に係る遠心分離機のドアを開けた状態を示す断面図、図２は同遠心分離機のドアが閉じた状態を示す断面図である。
【００１６】
図示の遠心分離機は、その筐体１２の内部に回転室７、制御部８、ドアロック機構９、ドアフックセンサ１１、ドアロックセンサ１０を収納している。
【００１７】
上記回転室７は、その上面開口部がドア３によって開閉され、回転室７の内部には回転可能なロータ５が収納されている。このロータ５は、駆動部６によって回転駆動され、駆動部６は前記制御部８によってその駆動が制御される。尚、前記ドア３は、ドアスプリング１４によって常時開き側に付勢されている。
【００１８】
又、前記ドア３の上部には操作パネル部１が設けられており、該操作パネル部１の内部には不図示のブザー又はスピーカが設けられており、このブザー又はスピーカは、遠心分離機の運転終了時の停止音や異常発生時の異常通知音等として使用される。ここで、前記操作パネル部１、前記ドアロック機構９、ドアフックセンサ１１及びドアロックセンサ１０は、制御部８に電気的に接続されている。
【００１９】
以上のように構成された遠心分離機は、分離するサンプル（試料）に合わせて使用者が回転速度、運転時間、温度、加速勾配、減速勾配等の運転条件を操作パネル部１から設定する。そして、試料が挿入されたロータ５を回転室７にセットし、ドア３を手で閉め、操作パネル部１に設けられた不図示のスタートスイッチを押すことによって遠心分離機の運転が開始される。
【００２０】
図２はドア３を閉じた状態を示しており、このときドアロック機構９がドアフック４を介してドア３をロックしている。又、図１はドア３を開けた状態を示しており、ドアロック機構９がドアロックを解除すると、図２に示すように閉じていたドア３がドアスプリング１４の付勢力によって図１に示すように開く。
【００２１】
図３にドア３を閉める際のドアロック完了までの動作をフロチャートにて示す。
【００２２】
ドア３が閉められてドアフックセンサ１１がドアフック４を検出するまで待ち（ステップ１００）、ドアフックセンサ１１がドアフック４を検出すると（ステップ１００の判断結果がＹＥＳである場合）、ドアロック機構９のモータを駆動し（ステップ１１０）、ドアロックセンサ１０がドアロックバー１３を検出するまで待ち（ステップ１２０）、ドアロックセンサ１０がドアロックバー１３を検出すると（ステップ１２０の判断結果がＹＥＳである場合）、ドアロック機構９のモータ駆動を停止して（ステップ１３０）、ドアロックが完了したことを遠心分離機の運転終了時の停止音用のブザーを利用してブザー２を鳴らすことによって遠心分離機の使用者に通知する（ステップ１４０）。
【００２３】
他方、ステップ１２０でドアロックセンサ１０がドアロックバー１３を検出できないとき（ステップ１００の判断結果がＮＯである場合）、ドアロック完了規定時間が経過するまで待ち（ステップ１５０）、ドアロック完了規定時間が経過したときは（ステップ１５０の判断結果がＹＥＳである場合）、ドアロック機構９のモータ駆動を停止し（ステップ１６０）、ドアロック異常であることをアラームとして操作パネル部１にアラームコードを表示する。
【００２４】
尚、本実施の形態では、ステップ１４０でドアロックが完了したことをブザー２を鳴らして使用者に通知しているが、ブザーの代わりに、操作パネル部１にドアロックが完了したことを表示する方法もあり、図４の操作パネル部１のパネル正面図に示すように、回転速度表示部３０に「ＣＬＯＳＥ」と数秒間、表示・点滅させる方法も有効である。その他、ブザーと表示を併用する方法もある。
【００２５】
以上のように、本実施の形態によれば、遠心分離機のドア３を閉めた際に、ドア３がロックしたことを通知する機能を設けるため、使用者はドア３がロックできたことを認識でき、ドア３から手を離すタイミングが確実に分かり、使い易い遠心分離機を提供することが可能となる。
【図面の簡単な説明】
【００２６】
【図１】本発明に係る遠心分離機のドアが開いた状態を示す断面図である。
【図２】本発明に係る遠心分離機のドアが閉じた状態を示す断面図である。
【図３】本発明に係る遠心分離機のドアロックの動作の手順を示すフロチャートである。
【図４】本発明に係る遠心分離機の操作パネル部を示す図である。
【符号の説明】
【００２７】
１      操作パネル部
２      ブザー
３      ドア
４      ドアフック
５      駆動部
６      モータ
７      回転室
８      制御部
９      ドアロック機構
１０    ドアロックセンサ
１１    ドアフックセンサ
１２    筐体
１３    ドアロックバー
１４    ドアスプリング
【図１】
2008259981.tif 000003
【図２】
2008259981.tif 000004
【図３】
2008259981.tif 000005
【図４】
2008259981.tif 000006